(57)【要約】【課題】高い意匠性を得ることができる壁飾りを提供する。【解決手段】壁面１に固定される脚部２と、脚部２の前面に設けられる額部３と、光源４とを有し、額部３を脚部２よりも外方に突出して設けると共に光源４を額部３から突出しないように脚部２に設け、脚部２周囲の壁面１に光源４から光を照射可能に形成する。脚部２周囲の壁面１を光源４で照明することにより、従来よりも広い範囲の脚部２周囲の壁面１を明るく照らすことができる。【選択図】図１
2009181060.tif 000002
【特許請求の範囲】
【請求項１】
壁面に固定される脚部と、脚部の前面に設けられる額部と、光源とを有し、額部を脚部よりも外方に突出して設けると共に光源を額部から突出しないように脚部に設け、脚部周囲の壁面に光源から光を照射可能に形成して成ることを特徴とする壁飾り。
【請求項２】
額部の裏面で反射させた光を脚部周囲の壁面に照射可能に形成して成ることを特徴とする請求項１に記載の壁飾り。
【請求項３】
壁面と略平行に設けられた凹所に光源を設けて成ることを特徴とする請求項１又は２に記載の壁飾り。
【発明の詳細な説明】
【技術分野】
【０００１】
本発明は、建物の外壁などに取り付けられる壁飾りに関するものである。
【背景技術】
【０００２】
従来より、発光ダイオード等の光源を利用した看板文字や図形が提案されている（例えば、特許文献１参照）。しかし、このような看板文字や図形ではその背面側の壁面が均一に照明されるだけであり、意匠性が低いという問題があった。
【特許文献１】特開２００１−０９２３９７号公報
【発明の開示】
【発明が解決しようとする課題】
【０００３】
本発明は上記の点に鑑みてなされたものであり、高い意匠性を得ることができる壁飾りを提供することを目的とするものである。
【課題を解決するための手段】
【０００４】
本発明の請求項１に係る壁飾りＡは、壁面１に固定される脚部２と、脚部２の前面に設けられる額部３と、光源４とを有し、額部３を脚部２よりも外方に突出して設けると共に光源４を額部３から突出しないように脚部２に設け、脚部２周囲の壁面１に光源４から光を照射可能に形成して成ることを特徴とするものである。
【０００５】
本発明の請求項２に係る壁飾りＡは、請求項１において、額部３の裏面で反射させた光を脚部２周囲の壁面１に照射可能に形成して成ることを特徴とするものである。
【０００６】
本発明の請求項３に係る壁飾りＡは、請求項１又は２において、壁面１と略平行に設けられた凹所５に光源４を設けて成ることを特徴とするものである。
【発明の効果】
【０００７】
請求項１の発明では、脚部２周囲の壁面１を光源４で照明することにより、従来よりも広い範囲の脚部２周囲の壁面１を明るく照らすことができ、意匠性を高めることができるものである。
【０００８】
請求項２の発明では、額部３の裏面で反射させた光で脚部２周囲の壁面１を照明することにより、間接照明のように柔らかい光で脚部２周囲の壁面１を明るく照らすことができ、意匠性をさらに高めることができるものである。
【０００９】
請求項３の発明では、凹所５から壁面１と略平行に光を照射することにより、脚部２周囲の壁面１を光源４で照明することができ、簡単な構成で意匠性を高めることができるものである。
【発明を実施するための最良の形態】
【００１０】
以下、本発明を実施するための最良の形態を説明する。
【００１１】
本発明の壁飾りＡは、脚部２と額部３と光源４及び化粧部１０とを備えて形成されている。
【００１２】
脚部２は、セメントなどの無機質製品の廃材と自動車のバンパーなどの樹脂製品の廃材とを配合した樹脂やウレタン樹脂などの樹脂材料の成形品であって、方形板状に形成されるものである。また、脚部２の表面には正面視で略ロ字状の段落部１１が凹設されている。また、脚部２には複数の凹所５が設けられている。凹所５は円形の開口を有する穴であって、脚部２を壁面１に固定した際に、壁面１と凹所５の長手方向とが略平行となるように、円筒状の穴として形成されるものである。また、凹所５は脚部２の四つの周部面に一つずつ開口させて設けられている。そして、上記段落部１１及び凹所５に光源４が設けられている。段落部１１では複数個の光源４がロ字状に並べて収容されている。また、凹所５には光源４が一つずつ収容されている。光源４としては発光ダイオード（ＬＥＤ）４を用いることができる。
【００１３】
額部３はセメントなどの無機質製品の廃材と自動車のバンパーなどの樹脂製品の廃材とを用いた成形品で形成することができ、例えば、特開２００６−１９９５６９号公報に記載されている化粧建材を用いることができる。額部３は正面視で略Ｌ字状に形成されており、四つの額部３が脚部２の段落部１１の外側に形成された外側取付部１３の表面に取り付けられている。各額部３は脚部２の隣り合う二辺にわたるように取り付けられている。また、隣り合う額部３、３の間には隙間１２が設けられている。また、各額部３の外周端部は脚部２の外周端部よりも外側に突出しており、これにより、脚部２に設けた光源４が額部３の外周端部よりも外側に突出しないようになっている。
【００１４】
化粧部１０は石板などの不透明な板材やガラス板などの透明な板材あるいは半透明な板材などを用いて形成することができる。化粧部１０は正面視で方形状に形成されており、四つの化粧部１０が脚部２の段落部１１の内側に形成された内側取付部１４の表面に取り付けられている。隣り合う化粧部１０、１０の間には隙間１５が設けられている。また、化粧部１０と額部３の内周端部との間にも隙間１６が形成されている。また、化粧部１０により段落部１１に設けた光源４が覆われることになる。
【００１５】
このように形成される壁飾りＡは建物の外壁等に取り付けられて使用されるものである。そして、光源４を点灯させると、凹所５に設けた光源４から凹所５の開口を通じて光を周囲の壁面１に照射することができ、図２に示すように、壁面１と略平行で直線的なライン状の光Ｓで脚部２周囲の壁面１を照明することができる。また、脚部２の外周端部より外側に突出する額部３の外周端部を反射部３ａとして形成することによって、光源４からの光Ｓを反射部３ａで反射して壁面１に照射することができ、間接照明のように柔らかい光で照明することができるものである。また、隙間１２、１５、１６を通して光を照射することができ、意匠性をさらに高めることができるものである。
【００１６】
そして、本発明の壁飾りＡは、日中では化粧部（特に不透明のもの）１０の形状や配置などによる意匠効果を発揮するものであるが、夜間は化粧部１０の外観がほとんど見えず、光源４から照射されるライン状の光Ｓ及びその光Ｓで浮き上がって見える化粧部１０により意匠効果を発揮するものであり、単に、化粧部１０を夜間も見せるように光源４で照らすものに比べて、意匠効果を著しく向上させることができるものである。
【００１７】
尚、脚部２に凹所５を形成する代わりに、脚部２の外周部に筒状体を設け、その筒状体の内部に光源４を配置しても良く、この場合も、筒状体の開口から直線的な光を照射することができる。
【図面の簡単な説明】
【００１８】
【図１】本発明の実施の形態を示し、（ａ）は正面図、（ｂ）は（ａ）のＸ−Ｘ断面の断面図、（ｃ）は脚部の正面図である。
【図２】同上の光源の点灯状態を示す概略図である。
【符号の説明】
【００１９】
Ａ  壁飾り
１  壁面
２  脚部
３  額部
４  光源
５  凹所
【図１】
2009181060.tif 000003
【図２】
2009181060.tif 000004